(57)【要約】【課題】  使用者の衣類を傷付けることを防止する釣用バッグの提供。【解決手段】  ファスナエレメント部４５，４６をそれぞれバッグ本体２の下部とビク３の上部に設け、ファスナエレメント部４５，４６どうしを噛合させてバッグ本体２にビク３を装着した状態で合体用スライドファスナ４７をその外側で覆う第一カバー体５０をバッグ本体２に設け、ファスナエレメント部４５，４６どうしを取外してビク３を釣人２７が装着して使用する際にビク３側のファスナエレメント部４６をその上部から外側にわたって覆う第二カバー体５１をビク３に設け、第二カバー体５１はファスナエレメント部４５，４６どうしを噛合させてバッグ本体２とビク３とを装着する際にビク３の上部側に折り返すことでバッグ本体２とビク３との間に挟まれるようにした釣用バッグ。【選択図】  図３
2006129772.tif 000002
【特許請求の範囲】
【請求項１】
バッグ本体と容器とをそれぞれ上下に配置し人体背側に相当する後部に設けたスライドファスナを介して前記バッグ本体と容器とが着脱自在とされ、前記スライドファスナによってバッグ本体と容器とを一体化した状態でバッグ本体を背負うことが可能であるとともに、前記スライドファスナを操作してバッグ本体と容器を分離してこれらをそれぞれ人体側に装着するよう使用可能な釣用バッグにおいて、
前記バッグ本体と容器とを分離して容器を単体使用する際に、前記スライドファスナを構成する容器側のファスナエレメント部を被覆するカバー体が設けられていることを特徴とする釣用バッグ。
【請求項２】
カバー体は容器側のファスナエレメント部の上部に取付けられて該ファスナエレメント部を外側から覆うものであることを特徴とする請求項１記載の釣用バッグ。
【請求項３】
スライドファスナを構成するバッグ本体側のファスナエレメント部と容器側のファスナエレメント部どうしを噛合させてバッグ本体に容器を装着した状態で前記スライドファスナをその外側で覆うためのカバー体がバッグ本体に設けられ、前記容器側に設けたカバー体はファスナエレメント部どうしを噛合させてバッグ本体と容器とを装着する際に容器の上部側に折り返すことでバッグ本体と容器との間に挟まれることを特徴とする請求項１または請求項２記載の釣用バッグ。
【請求項４】
容器側のカバー体をバッグ本体と容器との間に挟んだ際に該カバー体をバッグ本体に固定するための留め具が該カバー体とバッグ本体とに設けられていることを特徴とする請求項３記載の釣用バッグ。
【請求項５】
容器側のカバー体は、容器側のファスナエレメント部とほぼ等しいか大きめの幅を有して該ファスナエレメント部の幅方向に沿うよう取付けられた取付け部と、該取付け部に一体に設けられて該取付け部に比べて縮幅に形成された縮幅部とを備えていることを特徴とする請求項１乃至請求項４の何れかに記載の釣用バッグ。
【請求項６】
容器を人体側に装着する際に該容器側のファスナエレメント部をその外側で覆った容器側のカバー体を、該ファスナエレメント部を覆った姿勢に保持させる留め具が容器側のカバー体と容器とに設けられていることを特徴とする請求項１乃至請求項５の何れかに記載の釣用バッグ。
【請求項７】
人体背側を回避した正面側に、スライドファスナとは別にバッグ本体と容器とを着脱自在に取付けるための留め具が設けられていることを特徴とする請求項１乃至請求項６の何れかに記載の釣用バッグ。
【発明の詳細な説明】
【技術分野】
【０００１】
本発明は、渓流釣りなどに使用される釣用バッグに関する。
【背景技術】
【０００２】
一般に、魚釣りには釣具の他に雨具や防寒具等を携行する。また、特に渓流釣では釣具としてビクに代表される容器を携行する。ところで、渓流釣りでは岩場など足場の悪い領域を歩く場合が多いため、これら釣具等の荷物はできるだけひとつにまとめて取扱うことが便利である。そこで、雨具等を収納する背負い式のバッグ本体とビクとを互いに着脱自在として、必要に応じて両者を着脱するように用いる釣用バッグがある（例えば、特許文献１参照）。
【０００３】
上記従来の釣用バッグでは、バッグ本体とビクとをスライドファスナを用いて着脱自在としている。すなわちバッグ本体の下縁周全部に一方側のファスナエレメント部を取付け、ビクの上縁周全部に他方側のファスナエレメント部を取付けている。また、バッグ本体、およびビクそれぞれに装着用ベルトを設けている。そして、釣人が釣場を歩くときにはスライドファスナを閉めてバッグ本体とビクとを一体化し、これを釣人が背負うようにする。釣場に到着した際にはスライドファスナを開くことでバッグ本体からビクを取外して、これを装着用ベルトを用いて人体に装着し、釣人は釣った魚をビク投入するように用いる。
【０００４】
しかしこの釣用バッグでは、バッグ本体の下縁周全部とビクの上縁周全部とにファスナエレメント部を取付けてありスライドファスナは釣用バッグの全周域にわたって設けているから、バッグ本体とビクとを一体化する際や取外す際に手間がかかる。そこで、スライドファスナを釣人の背側のみに設け、他の部分は留め具（バックル）を用いてバッグ本体とビクとを着脱自在とした釣用バッグが提案されている（例えば、特許文献２参照）。
【０００５】
しかしながら、上記従来における釣用バッグに設けたスライドファスナは露出している。このため使用者である釣人が釣用バッグを背負って歩くと、釣人が装着している衣類とスライドファスナとが擦れあい、衣類が傷付きやすくなる。そこで、バッグ本体とビクとを一体化させて釣人が背負った際に、スライドファスナを覆うカバー体をバッグ本体に設けたものがある。
【特許文献１】実公平５−４５１８３号公報
【特許文献２】特開２００４−１５９５９８号公報
【発明の開示】
【発明が解決しようとする課題】
【０００６】
しかしながら、バッグ本体とビクとを分離させてそれぞれを単品使用する際、特に、ビクを釣人が身体に装着するとスライドファスナのファスナエレメント部が露出して衣類に擦れ、衣類が傷付き易いといった課題は解消されていない。
【０００７】
そこで本発明は、上記課題に鑑み、使用者の衣類を傷付けることを防止し得る釣用バッグの提供を課題とする。
【課題を解決するための手段】
【０００８】
本発明の釣用バッグは、バッグ本体と容器とをそれぞれ上下に配置し人体背側に相当する後部に設けたスライドファスナを介して前記バッグ本体と容器とが着脱自在とされ、前記スライドファスナによってバッグ本体と容器とを一体化した状態でバッグ本体を背負うことが可能であるとともに、前記スライドファスナを操作してバッグ本体と容器を分離してこれらをそれぞれ人体側に装着するよう使用可能であり、前記バッグ本体と容器とを分離して容器を単体使用する際に、前記スライドファスナを構成する容器側のファスナエレメント部を被覆するカバー体が設けられていることを特徴としている。
【０００９】
上記構成において、容器を人体側に装着するよう単体使用する際に、カバー体でもって容器側のファスナエレメント部は被覆されているから、ファスナエレメント部が直接衣類に接触する状態を防止して、衣類を保護することができ、使用者はカバー体によってファスナエレメント部の存在を感じにくく、したがって容器の装着感も違和感なく良好となる。ここで人体背側とは、人体の背から腰に至る領域全体を含める意味合いである。
【００１０】
本発明の釣用バッグでは、カバー体は容器側のファスナエレメント部の上部に取付けられて該ファスナエレメント部を外側から覆うものであることを特徴としている。したがって、カバー体は特別に保管するといった煩わしさが不要となり、カバー体を容器に沿わせるように折る（回動させる）ことで簡単にファスナエレメント部を覆うことができる。
【００１１】
本発明の釣用バッグは、スライドファスナを構成するバッグ本体側のファスナエレメント部と容器側のファスナエレメント部どうしを噛合させてバッグ本体に容器を装着した状態で前記スライドファスナをその外側で覆うためのカバー体がバッグ本体に設けられ、前記容器側に設けたカバー体はファスナエレメント部どうしを噛合させてバッグ本体と容器とを装着する際に容器の上部側に折り返すことでバッグ本体と容器との間に挟まれることを特徴としている。
【００１２】
このように、容器側に設けたカバー体を容器の上部側に折り返してバッグ本体を容器に載せ、バッグ本体側のカバー体でスライドファスナを覆うようにすれば、バッグ本体を背負ったときでも衣類の損傷を防止できるとともに、容器側のカバー体をバッグ本体と容器との間に収納でき、容器側のカバー体が邪魔にならない。
【００１３】
本発明の釣用バッグは、容器側のカバー体をバッグ本体と容器との間に挟んだ際に該カバー体をバッグ本体に固定するための留め具が該カバー体とバッグ本体とに設けられていることを特徴としている。
【００１４】
上記構成によれば、バッグ本体と容器とを一体化して背負うように用いる際に、留め具によってバッグ本体と容器とがずれるのを防止するから、釣用バッグを使用者が背負って動く際にバッグ本体と容器との一体感をもって違和感なく使用することができる。
【００１５】
本発明の釣用バッグでは、容器側のカバー体は、容器側のファスナエレメント部とほぼ等しいか大きめの幅を有して該ファスナエレメント部の幅方向に沿うよう取付けられた取付け部と、該取付け部に一体に設けられて該取付け部に比べて縮幅に形成された縮幅部とを備えていることを特徴としている。
【００１６】
上記構成のように容器側のカバー体の幅を容器側のファスナエレメント部とほぼ等しく設定することで、ファスナエレメント部を確実に覆って衣類を保護できるとともに、取付け部より幅の狭い縮幅部を取付け部に一体に設けることで、この縮幅部を使用者が把持して（つまんで）、カバー体を容易に操作することができ、取付け部より幅の狭い縮幅部を把持することで、カバー体を簡単に操作できる。
【００１７】
本発明の釣用バッグは、容器を人体側に装着する際に該容器側のファスナエレメント部をその外側で覆った容器側のカバー体を、該ファスナエレメント部を覆った姿勢に保持させる留め具が容器側のカバー体と容器とに設けられていることを特徴としている。
【００１８】
この構成によれば、カバー体は容器側のファスナエレメント部を覆った状態で留め具によって保持されるので、カバー体の姿勢を保持してこれが邪魔になることがなく、しかも衣類を傷付けることを防止できる。
【００１９】
本発明の釣用バッグは、人体背側を回避した正面側に、スライドファスナとは別にバッグ本体と容器とを着脱自在に取付けるための留め具が設けられていることを特徴としている。
【００２０】
人体背側を回避した正面側とは、スライドファスナを設けた背側の領域ではなく、スライドファスナから釣用バッグの周方向にある程度だけ離間してスライドファスナを回避すれば、釣用バッグの側部でも前部でもよいことを意味する。スライドファスナは人体背側に対向する領域に設けているから、スライドファスナから釣用バッグの周方向に離間した留め具によって、さらに確実にバッグ本体と容器とを一体化させることができる。特に、使用者が釣用バッグを背負って歩くとき、バッグ本体に対して容器を安定させることができる。
【発明の効果】
【００２１】
本発明によれば、バッグ本体と容器とを分離して容器を単品使用する際、そのファスナエレメント部を外側から覆うカバー体を設けたことにより、ファスナエレメント部が使用者の衣類に擦れることがなく、したがって衣類が損傷するのを防止することができる。
【発明を実施するための最良の形態】
【００２２】
以下、本発明の実施形態に係る釣用バッグを図面に基づいて説明する。図１は本発明の実施形態を示す釣用バッグの全体構成を示す斜視図、図２はビクの単体使用状態を示す斜視図、図３は釣用バッグの要部を中心に描いた断面図、図４は第二カバー体を開いて他方のファスナエレメント部を露出させた状態のビクの単体斜視図、図５はバッグ本体の底面とビクの天板との取付け途中状態を示す斜視図である。
【００２３】
図１に示すように、釣用バッグ１は、防水性の高い生地で構成されたリュック状のバッグ本体２と、保冷性の高い材質を用いて製造された容器としての直方体状のビク３と、釣竿を入れるための所定の剛性を有した細長い直方体状の竿箱４とを備える。バッグ本体２と竿箱４とは第一着脱手段５を介して互いに着脱自在に設けられている。バッグ本体２とビク３とは第二着脱手段６を介して着脱自在に設けられている。
【００２４】
ここで、バッグ本体２およびビク３についてそれぞれ説明する。バッグ本体２にはその前面側に、バッグ本体２の前面１０をほぼ全部開閉可能な本体用スライドファスナ１１が逢着されている。また、バッグ本体２は左右両側に肩掛けベルト１２，１２（一方のみ図示している）を備える。
【００２５】
図２に示すように、ビク３はビク本体１５と本体蓋１６とを有し、ビク本体１５と本体蓋１６とはビク用スライドファスナ１７によって開閉自在とされている。本体蓋１６の天板２０にはさらに魚の投入用開口２１が形成されており、この投入用開口２１は天板蓋２２によって開閉自在とされ、図３に示すように、天板蓋２２を閉方向に付勢するキックばね２３が本体蓋１６の裏面に装着されている。天板蓋２２の上面で投入用開口２１の外周部に左右幅方向中央部に凹部２５を有する外壁２６が形成されている。ビク３は釣人２７が肩着用および腰着用を兼用することができる、図４に示すような着用ベルト３０を有する。この着用ベルト３０の一端にバックル３１の係合部３７が取付けられ、着用ベルト３０の他端にバックル３１の被係合部３４が取付けられている。ビク３の側部それぞれに別のバックル３２の係合部３８および被係合部３５が取付けられている。さらに、ビク３の背面８に左右に互いに離間して着用ベルト３０を通すリング部材９，９が逢着されている。
【００２６】
すなわち、図２に示すように、ビク３を肩着用する場合は着用ベルト３０の係合部３７をビク３に設けた被係合部３５に係合するとともに、着用ベルト３０の被係合部３４をビク３に設けた係合部３８に係合することで、ビク３は着用ベルト３０を肩に掛けるようにして装着できる。また、この状態から係合部３７と被係合部３４とを取外し、着用ベルト３０を双方のリング部材９，９に通して釣人２７の腰に巻き、着用ベルト３０の係合部３７と被係合部３４とを係合することで、ビク３を腰着用することができる。
【００２７】
ここで図１に戻り、第一着脱手段５は、バッグ本体２の側部に上下に一対で逢着された竿箱用バックル３２と、竿箱４のバッグ本体２対向側に逢着された掛留めリング（図示せず）とから構成されている。竿箱用バックル３２は、バッグ本体２の側部に逢着された一方（上方の）のバックル３９と、他方（下方の）のバックル３６とから構成され、前記掛留めリングに竿箱用バックル３２を掛けて互いを係合することで、竿箱４をバッグ本体２に一体化させる。あるいは一方のバックル３９および他方のバックル３６を離脱させることで竿箱４をバッグ本体２から離脱させることができる。
【００２８】
次に、バッグ本体２とビク３とを一体化あるいは、単品使用可能に離脱させるための前記第二着脱手段６について説明する。図３乃至図５に示すように、第二着脱手段６は、バッグ本体２の背面２ａ底縁の一部に所定の左右幅方向長さを有して逢着された一方のファスナエレメント部４５およびビク３の背面８上方の一部に逢着された他方のファスナエレメント部４６からなる合体用スライドファスナ４７と、図１に示すように合体用スライドファスナ４７に対して前側に設けられた合体用バックル（留め具）３３とから構成されている。
【００２９】
合体用バックル３３は、バッグ本体２の前面下部の左右両側に互いに離間してバッグ本体２に逢着された係合部４２と、ビク３の前面上部の左右両側に互いに離間してビク３に逢着された被係合部４３とから構成されている。すなわち合体用スライドファスナ４７とすべく一方のファスナエレメント部４５および他方のファスナエレメント部４６を操作片４４（スライダー）を操作して噛合させ、合体用バックル３３とすべく係合部４２と被係合部４３とを係合することで、バッグ本体２とビク３とが一体化されるから、釣人２７は肩掛け１２，１２を肩に掛けて釣用バッグ１を背負い、楽に岩場などを歩くことが可能になる。
【００３０】
ところで、この実施形態のバッグ本体２には、バッグ本体２に逢着した一方のファスナエレメント部４５のわずかに上部に、該ファスナエレメント部４５の幅方向に沿うように第一カバー体５０が逢着されている。また、ビク３の他方のファスナエレメント部４６のわずかに上部に、他方のファスナエレメント部４６の幅方向に沿って第二カバー体５１が逢着されている。第一カバー体５０は一方のファスナエレメント部４５に比べて大きい幅とされた逢着部（取付け部）５２と、この逢着部５２から同幅をもって延長される折返し部５５と、この折返し部５５の先端に縮幅して延設される縮幅部５７とから台形形状に形成されている。第二カバー体５１は第一カバー体５０とほぼ同一形状、且つほぼ同一の大きさに形成されているから、部分名称を同一として異なった符号を付している。すなわち、符号５３は逢着部（取付け部）、５６は折返し部、５８は縮幅部をそれぞれ示している。
【００３１】
ところで、バッグ本体２の底面６０（例えば図５参照）の所定位置に矩形の第一面ファスナ（「留め具」の一例）６１の被係合面６２が貼着され、第一カバー体５０の縮幅部５７の裏面幅方向中央に矩形の第一面ファスナ６１の係合面６５が貼着固定されている。さらに、ビク３の他方のファスナエレメント部４６のわずかに下部に、矩形の第二面ファスナ６７の被係合面６３が貼着され、第二カバー体５１の縮幅部５８の裏面幅方向中央に矩形の第二面ファスナ６７の係合面６６が貼着固定されている。
【００３２】
上記のような釣用バッグ１（第一カバー体５０および第二カバー体５１）は次のようにして使用される。すなわち、ビク３をバッグ本体２から取外して単品使用する場合は上記で述べたように釣人２７の肩あるいは腰に装着するが、このとき一方のファスナエレメント部４５と他方のファスナエレメント部４６とは分離しているから、他方のファスナエレメント部４６の硬質な部分が露出することになる。そこで、図２に示すように、第二カバー体５１をビク３の背面８に沿うようにし、第二面ファスナ６７の係合面６６と被係合面６３とを係合させるようにする。そうすると、第二カバー体５１は他方のファスナエレメント部４６をその上方から外側にわたって覆うことになって、さらに第二面ファスナ６７によって他方のファスナエレメント部４６を覆った状態が確実に保持される。そして、釣人２７が上記のようにして単品的にビク３使用する場合でも、他方のファスナエレメント部４６が第二カバー体５１によって釣人２７の衣類に擦れることがなく、したがって釣人２７の衣類が損傷するのを防止することができる。
【００３３】
また、バッグ本体２においては、第一カバー体５０をバッグ本体２の底面６０に沿うよう折曲げて（回動させて）第一面ファスナ６１の係合面６５と被係合面６２とを係合させることで、確実に第一カバー体５０がバッグ本体２の底部沿って保持され邪魔にならなく、しかも第一カバー体５０は露出している一方のファスナエレメント部４５をその外側で覆う。
【００３４】
ここで、バッグ本体２とビク３とを一体化した状態は前述の通りであるが、バッグ本体２とビク３とを単品的に使用してから一体化する場合、第二カバー体５１を、第二面ファスナ６７の係合面６６と被係合面６３とを離脱させるようにビク３の背面８から離脱させて折返し部５６がビク３の頂部３ａに当るよう縮幅部５８をビク３の天板２０に折返す。このようにすることで、他方のファスナエレメント部４６は露出する。そして第一カバー体５０の第一面ファスナ６１を離脱させて第一カバー体５０をバッグ本体２の背２ａ側に折り（回動させて）、この状態でバッグ本体２をビク３の天板２０に載せる。そうすると、第二面ファスナ６７の係合面６６と第一面ファスナ６１の被係合面６２とが上下に一致した位置で係合し、ビク３とバッグ本体２とが互いに保持された状態となる。さらに、第一カバー体５０を開いた状態で合体用スライドファスナ４７の一方のファスナエレメント部４５と他方のファスナエレメント部４６とを噛合させることで、背面側でビク３とバッグ本体２とが一体化される。そして、第一カバー体５０をビク３の背面８に重ねるようにして、第一カバー体５０の第一面ファスナ６１の係合面６５とビク３の第二面ファスナ６７の被係合面６３とを係合させる。続いて、合体用バックル３３の係合部４２と、被係合部４３とを係合させることで、ビク３とバッグ本体２とを前面側で一体化させる。
【００３５】
上記のように、第二カバー体５１を折り返して合体用スライドファスナ４７を噛合させ、ビク３にバッグ本体２を載せ、合体用バックル３３を係合するといった簡単な動作および簡単な構成で、ビク３とバッグ本体２とを確実に一体化させることができる。そして釣用バッグ１を背負うと、釣人２７の背側に合体用スライドファスナ４７が位置し、合体用バックル３３が外側に位置するので、釣人２７にとって釣用バッグ１を背負った際の安定感を確保できる。ビク３とバッグ本体２とを単品使用する場合は、合体用バックル３３の係合部４２と被係合部４３とを離脱させ、また、第一カバー体５０の第一面ファスナ６１の係合面６５をビク３の第二面ファスナ６７の被係合面６３からはがすようにし、続いて合体用スライドファスナ４７を分離し、ビク３の天板２０からバッグ本体２を外すようにすることで、第一面ファスナ６１の被係合面６２と第二面ファスナ６７の係合面６６とがはがれ、両者を簡単に分離して単品使用することができる。
【００３６】
ビク３とバッグ本体２とを一体化させた状態で、釣人２７は釣用バッグ１をバッグ本体２の肩掛けベルト１２，１２を両肩に掛けるようにして背負うことができる。このとき、上述したように、合体用スライドファスナ４７は噛合っており、第一面ファスナ６１の係合面６５と第二面ファスナ６７の被係合面６３とは係合しており、合体用バックル３３でビク３とバッグ本体２は確実に一体化されているが、さらに第二カバー体５１を折り返してバッグ本体２の底面６０とビク３の天板２０との間に介装されており、第一面ファスナ６１の被係合面６２と第二面ファスナ６７の係合面６６とが係合することで、ビク３とバッグ本体２とが水平方向にずれるのを防止しているから、釣人２７はビク３とバッグ本体２とが確実に一体化されている感覚をもってこれを背負うことができる。
【００３７】
上記実施形態では、第二カバー体５１を第二面ファスナ６７という着脱手段によってビク３に着脱自在し他方のファスナエレメント部４６を覆うように構成したが、本発明はこれに限定されるものではない。例えば着脱手段としてホック（図示せず）を用いて第二カバー体５１をビク３の背面８に着脱するように構成することも可能である。すなわち、第二カバー体５１の裏面とビク３の背面８にホックの係合部と被係合部とをそれぞれ取付けるようにする。この場合、第一カバー体５０の裏面とバッグ本体２の底面６０とにそれぞれホックの係合部、被係合部を取付けるようにすれば、面ファスナの代わりにホックを用いて、上記実施形態と同様の作用効果を奏し得る。また、上記実施形態では容器としてビク３を例にあげたがこれに限定されず、例えばタックルボックスなど、容器状のものであれば適用可能である。
【図面の簡単な説明】
【００３８】
【図１】本発明の実施形態を示す釣用バッグの全体構成を示す斜視図。
【図２】同じくビクの単体使用状態を示す斜視図。
【図３】同じく釣用バッグの要部を中心に描いた断面図。
【図４】同じく第二カバー体を開いて他方のファスナエレメント部を露出させた状態のビクの単体斜視図。
【図５】同じくバッグ本体の底面とビクの天板との取付け状態を示す斜視図。
【符号の説明】
【００３９】
１…釣用バッグ、２…バッグ本体、３…ビク、４…竿箱、５…第一着脱手段、６…第二着脱手段、１０…バッグ本体の前面、１２…肩掛けベルト、１５…ビク本体、１６…本体蓋、２０…天板、３０…着用ベルト、３１…バックル、３２…バックル、３３…合体用バックル、３４…被係合部、３５…被係合部、３７…係合部、３８…係合部、４２…係合部、４３…被係合部、４５…一方のファスナエレメント部、４６…他方のファスナエレメント部、４７…合体用スライドファスナ、５０…第一カバー体、５１…第二カバー体、６１…第一面ファスナ、６２…被係合面、６３…被係合面、６５…係合面、６７…第二面ファスナ
【図１】
2006129772.tif 000003
【図２】
2006129772.tif 000004
【図３】
2006129772.tif 000005
【図４】
2006129772.tif 000006
【図５】
2006129772.tif 000007